(57)【要約】【課題】サスペンションアームは、一端側が車体との連結のために細めとすることを要求される場合がある。このような点を含む諸問題に鑑み、軽量で、細くされる部位において一定の寸法精度を得ることができ、また製造が容易でありながら、ねじりに対する強度を十分に確保できるサスペンションアームを提供する。【解決手段】角管状部材の少なくとも一端側において、上面及び下面に、端部から長手方向に沿ってスリット状の切欠き１５を形成すると同時に、該切欠き１５において、上面及び下面の短手方向で対向する凹凸形状１７を形成する。そして、切欠き１５によって形成された空隙が埋まり、かつ、凹凸形状１７が互いにしまり嵌め或いは嵌着するように、角管状部材を押圧して、閉断面を形成し、少なくとも一端側が縮管されたサスペンションアームを得る。【選択図】図２
2010195317.tif 000002
【特許請求の範囲】
【請求項１】
角管状部材の長手方向の少なくとも一端側において、上面及び下面、又は、対向する両側壁に、端部から長手方向に沿って切欠きが形成され、該切欠きによって形成された空隙を埋めるように押圧されることで、縮管される構造部材であって、
前記切欠きにおいて、前記上面及び下面、又は、前記両側壁の短手方向で対向する凹凸形状が形成され、該凹凸形状が互いにしまり嵌め或いは嵌着された状態で、前記切欠きによって形成された前記空隙が埋められていることを特徴とする構造部材。
【請求項２】
前記角管状部材は、アルミニウム合金製押出し材であることを特徴とする請求項１に記載の構造部材。
【請求項３】
当該構造部材は、自動車用サスペンション装置におけるサスペンションアームであることを特徴とする請求項１又は２に記載の構造部材。
【請求項４】
前記凹凸形状は、前記上面及び下面、又は、前記両側壁の短手方向で対向する凸部及び凹部の対が複数並んだ形状であることを特徴とする請求項１〜３のいずれか１項に記載の構造部材。
【請求項５】
前記対向する凸部及び凹部の対が互い違いに複数連なって並ぶことを特徴とする請求項４に記載の構造部材。
【請求項６】
前記互い違いに複数連なって並ぶ前記対向する凸部及び凹部の対を、少なくとも３対以上としたことを特徴とする請求項５に記載の構造部材。
【請求項７】
前記凸部及び前記凹部は、円弧状であることを特徴とする請求項４〜６のいずれか１項に記載の構造部材。
【請求項８】
前記切欠きは、前記凹凸形状を形成された部位以外は、両側方が長手方向に沿って平坦に形成されており、前記凸部及び前記凹部が円弧状であるときに、
前記切欠きの前記平坦に形成された部位を基準とした前記凸部の高さをＨａ、前記凹部の深さＨｂとし、
前記凸部の半径をＲａ、前記凹部の半径をＲｂとした場合、
前記対向する前記凸部及び前記凹部の対の間には、
１≦Ｒａ／Ｒｂ＜１．２、かつ、０．８＜Ｈａ／Ｈｂ＜１．１、の関係が成り立つことを特徴とする請求項７に記載の構造部材。
【請求項９】
前記切欠きが形成されない、前記上面及び下面、又は、前記両側壁において挿通穴が形成され、前記挿通穴に連結部材が設けられており、
前記連結部材は、前記切欠きが形成された前記上面及び下面、又は、前記両側壁の短手方向中心に向けて締め付け力を与えることを特徴とする請求項１〜８のいずれか１項に記載の構造部材。
【請求項１０】
前記連結部材は、円筒状部材であり、
前記円筒状部材は、前記挿通穴に挿入され、その両端部に少なくとも部分的にかしめが施されることで、前記挿通穴に固定されることを特徴とする請求項９に記載の構造部材。
【請求項１１】
前記円筒状部材の内側に保持されるブッシュが設けられることを特徴とする請求項１０に記載の構造部材。
【請求項１２】
請求項１〜１１のいずれか１項に記載の構造部材を、サスペンションアームとして備えることを特徴とする自動車。
【請求項１３】
角管状部材の長手方向の少なくとも一端側において、上面及び下面、又は、両側壁に、端部から長手方向に沿って切欠きを形成する際に、該切欠きにおいて、前記上面及び下面、又は、前記両側壁の短手方向で対向する凹凸形状を形成する工程と、
前記切欠きによって形成された空隙が埋まり、かつ、前記凹凸形状が互いにしまり嵌め或いは嵌着するように、前記角管状部材を押圧する工程とを有し、
少なくとも一端側が縮管された構造部材を得ることを特徴とする構造部材の製造方法。
【発明の詳細な説明】
【技術分野】
【０００１】
本発明は、例えば自動車のサスペンションアーム等に用いて好適な構造部材及びその製造方法に関する。
【背景技術】
【０００２】
近年、ＣＯ2削減等の市場要求から、自動車業界では車両の軽量化が求められ、従来鉄製であったサスペンションアーム等の車両部品は、アルミニウム化（以下、アルミ化）或いはマグネシウム化（以下、マグネ化）による軽量化が進められている。これらの軽合金は、材料費は鉄に比べて高価であるが、押し出しにより中空状の粗材が低コストで製造できる。したがって、安価で軽量なアルミ或いはマグネ部材の製造方法として、中空の押出し材を溶接レスで成形する方法は、車両部品を形成するのに最も優れた方法の一つと考えられる。
【０００３】
ここで、例えば自動車においては、マルチリンク式、ダブルウィッシュボーン式等といったサスペンション方式がある。このような方式におけるサスペンションアームは、ショックアブソーバのコイルスプリングを受ける部分（座面）に該コイルスプリングの径（端部）よりも大きい幅広領域が必要になるのに対して、両端における車体やナックルとの取り付け部は、締結されるブッシュのサイズに合わせて小さく形成することが必要とされる場合がある。
【０００４】
中空の押出し材で、上記のようなサスペンションアームを形成する場合、ブッシュ部を別体で形成し溶接する方法や両端の取り付け部を縮管する方法、又はコイルスプリングの座面を拡管する方法が考えられる。
【０００５】
しかし、溶接する方法では、コストがかかるとともに、アルミの場合、溶融熱による歪みや材料強度の低下の問題が生じてしまう。また、拡管する方法では、減肉を伴うため、高強度を要求されるコイルスプリングの座面の強度を確保できない場合がある。
【０００６】
したがって、中空の押出し材で、上記のようなサスペンションアームを形成する場合は、両端を縮管する方法が好ましい。縮管する方法としては、プレスで両側面から直接潰す方法や、縮管させる部分の短手方向中央部を、長手方向に沿ってスリット状にプレスで打ち抜く或いは切削する等して、その後に両側面から潰す方法が考えられる。また、特許文献１には、サスペンションアームのナックル側端部を縮管する際、断面視閉空間を形成する上下面の板厚を両側面の板厚よりも薄肉にして、両側方から潰す方法が記載されている。
【先行技術文献】
【特許文献】
【０００７】
【特許文献１】国際公開第０１／３２９７９号パンフレット
【発明の概要】
【発明が解決しようとする課題】
【０００８】
上述したような、プレスで両側面から潰して端部を縮管する方法は、変形位置が安定せず精度を保つことが困難である。サスペンションアームのブッシュ取り付け部は、高い寸法精度が要求されるため、この方法では、係る要求を満たすことが難しい。
【０００９】
一方、特許文献１に記載の技術では、断面視閉空間を形成する上下面の板厚を両側面の板厚よりも薄肉にすることで、変形点を上下面の中央部に制御し、所望の形状に成形できるようにしている。だが、特許文献１に記載の技術では、サスペンションアームにおける上下面の強度が不足し、アーム長手方向を軸心とした曲げ方向の力（ねじり方向の力）、コイルスプリングからの上下方向の力に耐え得る強度を十分に確保できない場合があった。
【００１０】
そこで、十分な強度を確保しつつ、ブッシュ取り付け部の精度を安定させるには、縮管する部分（典型的には上下面）の短手方向中央部を、長手方向に沿ってスリット状にプレスで打ち抜く或いは切削する等して、その後に両側面から押圧する方法が最適と考えられる。しかしながら、この方法では、押圧して突き合わせた部分が直線状であるため、サスペンションアームにねじり方向の力が生じた場合、突合わせ部分が互いに上下に摺動してしまう等して、ねじりに対する強度が弱く、また突合わせ部分に摩耗が生じてしまうといった問題があった。
【００１１】
本発明は係る問題点に鑑みてなされたものであり、例えばサスペンションアームのような、少なくとも一端側が縮管されることを要求される構造部材において、軽量で、縮管される部位において一定の寸法精度を得ることができ、また製造が容易でありながら、ねじり等に対する強度を十分に確保できるようにすることを目的とする。
【課題を解決するための手段】
【００１２】
本発明の構造部材は、角管状部材の長手方向の少なくとも一端側において、上面及び下面、又は、対向する両側壁に、端部から長手方向に沿って切欠きが形成され、該切欠きによって形成された空隙を埋めるように押圧されることで、縮管される構造部材であって、前記切欠きにおいて、前記上面及び下面、又は、前記両側壁の短手方向で対向する凹凸形状が形成され、該凹凸形状が互いにしまり嵌め或いは嵌着された状態で、前記切欠きによって形成された前記空隙が埋められていることを特徴とする。
また、本発明の自動車は、上記に記載の構造部材を、サスペンションアームとして備えることを特徴とする。
また、本発明の構造部材の製造方法は、角管状部材の長手方向の少なくとも一端側において、上面及び下面、又は、両側壁に、端部から長手方向に沿って切欠きを形成する際に、該切欠きにおいて、前記上面及び下面、又は、前記両側壁の短手方向で対向する凹凸形状を形成する工程と、前記切欠きによって形成された空隙が埋まり、かつ、前記凹凸形状が互いにしまり嵌め或いは嵌着するように、前記角管状部材を押圧する工程とを有し、少なくとも一端側が縮管された構造部材を得ることを特徴とする。
【発明の効果】
【００１３】
本発明によれば、例えばサスペンションアームのような少なくとも一端側が縮管されることを要求される構造部材において、軽量、縮管される部位において一定の寸法精度を得る、及び製造が容易という効果を得ながら、ねじりに対する剛性を十分に確保でき、更にはねじりに起因した摩耗も抑えることができる。
【図面の簡単な説明】
【００１４】
【図１】本発明の第１の実施の形態に係る自動車用サスペンションアームを構造部材としたサスペンション装置を模式的に示した図である。
【図２】本発明の第１の実施の形態に係るロアアームの斜視図である。
【図３】本発明の第１の実施の形態に係るロアアームの基本的な製造方法を説明するための図であり、ロアアームを形成するための粗材に切欠き等を形成した状態を示した図である。
【図４】本発明の第１の実施の形態に係るロアアームの基本的な製造方法を説明するための図であり、ロアアームを形成するための粗材一端側の短手方向（図３に示すＡ−Ａ断面）における断面図である。
【図５】本発明の第１の実施の形態に係るロアアームの基本的な製造方法を説明するための図であり、ロアアームを形成するための粗材を両側方からプレスした様子を示した図である。
【図６】本発明の第１の実施の形態に係るロアアームを形成するための粗材に凹凸形状部を有する切欠きを形成した状態を示した図である。
【図７】本発明の第１の実施の形態に係るロアアームを形成するための粗材の略中央部位の短手方向（図６に示すＢ−Ｂ断面）における断面図である。
【図８】本発明の第１の実施の形態に係るロアアームを形成するための粗材の切欠きを形成した部位の短手方向（図６に示すＣ−Ｃ断面）における断面図である。
【図９】本発明の第１の実施の形態に係るロアアームを形成するための粗材の切欠きにおける凹凸形状部を示した図である。
【図１０】本発明の第１の実施の形態に係るロアアームを形成するための粗材を両側方からプレスした様子を示した図である。
【図１１】本発明の第１の実施の形態に係るロアアームを形成するための粗材を両側方からプレスした際の断面（図１０に示すＤ−Ｄ断面）の断面図である。
【図１２】本発明の第１の実施の形態に係るロアアームの縮管部の先端側の側壁に、ブッシュを取り付けるための挿通穴を形成した状態を示した図である。
【図１３】本発明の第１の実施の形態に係るロアアームの縮管部の先端側の側壁に、外筒を挿入した後、拡管かしめを施した際の断面（図１２に示すＥ−Ｅ断面）を示した断面図である。
【図１４】本発明の第１の実施の形態に係るロアアームの変形例を示した図である。
【図１５】本発明の第１の実施の形態に係るロアアームの変形例を示した図である。
【図１６】本発明の実施の形態に係るロアアームについての実験に用いる各種パラメータを説明するための図である。
【図１７】本発明の実施の形態に係るロアアームについての実験の実験結果を示した図である。
【図１８】本発明の第２の実施の形態に係るロアアームについて示す図であり、凹凸形状部において隣り合う凸部或いは凹部の形状を異ならせたものを示した図である。
【発明を実施するための形態】
【００１５】
以下、図面を用いて、本発明の好適な実施の形態を説明する。
【００１６】
＜第１の実施の形態＞
（サスペンション装置について）
図１は、本発明の第１の実施の形態に係る自動車用サスペンションアームを構造部材としたサスペンション装置を模式的に示した図である。
【００１７】
本実施の形態において、図１に示すサスペンション装置１は、所謂マルチサスペンション方式で構成されている。すなわち、タイヤ２及びタイヤ２を取り付けたホイール３からなる車輪がナックル４に回転自在に支持され、ナックル４が車体の骨格をなす車体構造部材５に複数のリンクにより揺動可能に支持される。複数のリンクには、車両下側でナックル４と車体構造部材５とを連結する自動車用サスペンションアームとしてのロアアーム１０、車両上側でナックル４と車体構造部材５とを連結するアッパーアーム６、更に、図示しない複数のリンク部材が含まれる。
【００１８】
車体構造部材５は車幅両方向に延出しており、左右一対のロアアーム１０は、車体構造部材５に沿うようにして配設される。そして、ロアアーム１０は、その一端が車体構造部材５の車幅方向の中央近傍で揺動可能に支持され、他端がナックル４と連結する。ロアアーム１０の車体構造部材５側の端部には、ブッシュ１１が一体的に取り付けられており、ロアアーム１０は、ブッシュ１１を介して、車体構造部材５に揺動可能に支持される。また、ロアアーム１０のナックル４側の端部には、挿通穴１２が形成されており、ロアアーム１０は、挿通穴１２を介して、ナックル４にボルト等により固定される。ここでロアアーム１０の車体構造部材５側は、ブッシュ１１の取付、及び、車体構造部材５の連結スペースの制約から、ナックル４側に比べて幅狭に形成される。
【００１９】
また、車体構造部材５とロアアーム１０との間には、ショックアブソーバのコイルスプリング７が上下方向（斜めに配置されることもある）に沿って装架される。これにより、車輪が路面から受ける入力が車体に伝達されることを緩和し、車体の安定性、乗り心地を良好なものとするように構成されている。ここでロアアーム１０は、その長手方向の中腹部分で、コイルスプリング７を受けることになるため、この部位については、車体構造部材５側に比べて幅広に形成される。
【００２０】
（サスペンション装置におけるロアアームについて）
図２は、本発明の第１の実施の形態に係る自動車用サスペンションアームとしてのロアアーム１０の斜視図である。本実施の形態においてロアアーム１０は、アルミニウム合金を押し出しにより角管状にした押出し材（角管状部材）から形成される。以下、図２を用いてロアアーム１０の構成について説明する。
【００２１】
先ず、ナックル４との連結側では、上面及び下面に、端部から長手方向に沿ってスリット状の切欠きが形成され、上面及び下面を結合する両側壁に、挿通穴１２が形成される。この挿通穴１２によりロアアーム１０がナックル４と連結するのは上述した通りである。
【００２２】
次に、ロアアーム１０の長手方向の略中央には、コイルスプリング７の一端を受けるためのコイルスプリング支持部１３が設けられる。コイルスプリング支持部１３は、コイルスプリング７を固定するのに十分な領域、及び、コイルスプリング７の反力に対する強度を要求されるため、短手方向で幅広となっており、また、その閉断面の面積が剛性十分となるように大断面となるように設定されている。
【００２３】
一方、ロアアーム１０の車体構造部材５との連結側では、コイルスプリング支持部１３付近に比べて、幅狭に形成される。以下、この幅狭部分を縮管部１４と呼ぶ。ロアアーム１０においてこのような縮管部１４を形成するのは、車体構造部材５と締結されるブッシュ１１のサイズに合わせる等の車体構成上の配置スペースの制約により小断面が求められることや、軽量化を求められること等によるものである。なお、ブッシュ１１によりロアアーム１０が車体構造部材５と連結するのは上述した通りである。
【００２４】
ロアアーム１０の車体構造部材５側に縮管部１４を形成して幅狭とする方法としては、先ずロアアーム１０の上面及び下面に、端部から長手方向に沿ってスリット状の切欠き１５を形成する。その後、切欠き１５によって形成された空隙を埋めるように、ロアアーム１０を両側方からプレス（押圧）して塑性変形させ、切欠き１５によって形成されたロアアーム１０の幅方向における縁を突き合わせて一部閉断面とすることで行う。
【００２５】
ここで、本実施の形態に係るロアアーム１０では、切欠き１５の幅方向における縁（以下、切欠き縁部１６、と呼ぶ）に、幅方向（短手方向）で対向する複数の凹部及び凸部を有する凹凸形状部１７が形成される。凹凸形状部１７は切欠き１５と一体に形成されるものであり、両側方からプレスされて突き合わされた際、図２に示すように互いにしばり嵌め或いは嵌着するものである。これにより、ロアアーム１０では、切欠き１５によって形成された上面及び下面における切欠き縁部１６の上下方向への摺動が抑制され、ねじり方向の力に対する強度が向上することになる。
【００２６】
また、縮管部１４の先端側の側壁には、ブッシュ１１が取り付けられる。より詳しくは、縮管部１４の先端側の両側壁には、挿通穴１８（図１２）が形成され、これを挿通するように車体側連結部であるブッシュ１１が取り付けられる。挿通穴１８において、ブッシュ１１の周りには、挿通穴１８に嵌挿される外筒１９、外筒１９内においてブッシュ１１を保持或いは固定するためのゴム材２０が配置されている。外筒１９は、拡管かしめを施されて挿通穴１８を介して内側に力を与えるように固定されており、これにより切欠き１５によって形成された切欠き縁部１６を強固に結合させるようにしている。また、ゴム材２０は、外筒１９とブッシュ１１との間を充填するようにして圧入等されており、ブッシュ１１を挿通穴１８の略中央に取り付け保持する。
【００２７】
以上のように本実施の形態に係るロアアーム１０では、凹凸形状部１７の形成や外筒１９に角管かしめを施す等により、ねじり対する強度を向上させている。以下では、本実施の形態に係るロアアーム１０の製造方法について説明する。
【００２８】
（サスペンション装置におけるロアアームの製造方法について）
ロアアーム１０の製造方法について説明する。上述したように、ロアアーム１０は、アルミニウム合金を押し出しにより角管状にした押出し材（以下、粗材と呼ぶ）から形成される。ロアアーム１０は、粗材の状態から、曲げ加工、切断加工、穴あけ加工、プレス或いは切削加工等の工程を経て製造される。
【００２９】
先ず、ロアアーム１０の製造についての概要を説明する。図３は、ロアアーム１０を形成するための粗材３０に切欠き等を形成した状態を示した図である。図３に示す粗材３０は、上面及び下面と２つの側壁とが一体結合した角管状部材となっている。
【００３０】
最初に、長細状の粗材３０の長手方向の一端側の上面及び下面に、端部から長手方向に沿ってスリット状の切欠き３１を形成する。切欠き３１は、この工程の後に形成される縮管部３２が一定の寸法精度を満たすようにするために形成するものである。
【００３１】
図４は、粗材３０の上記一端側の短手方向（図３に示すＡ−Ａ断面）における断面図である。図４にも参照されるように、粗材３０は、断面視矩形の角管状であり、端部から長手方向（紙面直交方向）に沿ってスリット状の切欠き３１が形成されていることがわかる。なお、粗材３０は、厳密に断面視矩形でなくても構わず、例えば角がやや丸みを帯びているようなものでも構わない。
【００３２】
次に、図５は、切欠き３１を形成された粗材３０を両側方からプレスした様子を示した図である。すなわち、切欠き３１によって分断された粗材３０の上面及び下面を両側方からプレス（図５、矢印）して、閉断面を形成することで小断面の縮管部３２が形成される。このようにして、切欠き３１を形成して両側方からプレスした場合、一定の寸法精度を満たす縮管部３２を形成できる。
【００３３】
ここで、図５のようにして、図３に示した状態からそのままプレスして、切欠き３１を埋めるように図中に示す閉断面の縮管部３２を形成した場合は、一定の寸法精度を満たすように縮管部３２を形成できるが、切欠き３１によって形成された、幅方向で対向する切欠き縁部３３が直線状に押し付けられる。そのため、ねじり方向の力等を受けた場合に、切欠き縁部３３の上下動が抑制されない。
【００３４】
そこで、本実施の形態に係るロアアーム１０においては、幅方向で対向する切欠き縁部の両側面を強固に結合するように凹凸形状部１７を形成するようにしている。以下、本実施の形態に係るロアアーム１０の製造方法の詳細を説明する。
【００３５】
図６は、ロアアーム１０を形成するための粗材６０に凹凸形状部１７を有する切欠き１５を形成した状態を示した図である。
【００３６】
本実施の形態では、先ず、図６に示すように、切欠き１５を形成するのと同時に、凹凸形状部１７を形成する。ここで、切欠き１５及び凹凸形状部１７は、プレスによる打ち抜きにより同時に形成されるが、これに代えて切削加工により形成しても構わない。また、上述した切欠き１５及び凹凸形状部１７の形成の先又は後に、或いは並行して、ナックル４との連結側における上面及び下面に、端部から長手方向に沿ってスリット状の切欠きを形成し、上面及び下面を結合する両側壁に、ナックル４との連結のための挿通穴１２を形成する。なお、挿通穴１２はナックル４との連結部分である、
【００３７】
ここで、図７は、粗材６０の長手方向略中央部の短手方向（図６に示すＢ−Ｂ断面）における断面図であり、図８は、粗材６０の切欠き１５を形成した側の短手方向（図６に示すＣ−Ｃ断面）における断面図である。切欠き１５及び凹凸形状部１７の形成後は、図７に示すように、粗材６０の切欠き１５を形成していない部位では、断面視矩形の閉断面となり、一方、図８に示すように、切欠き１５を形成した部位では、断面視で開断面となる。なお、以下の説明では、粗材６０における上面を上面横リブ１０Ａ、下面を下面横リブ１０Ｂ、紙面左側の側壁を側壁１０Ｃ、紙面右側の側壁を側壁１０Ｄとして説明する。
【００３８】
また、図９は、切欠き１５における凹凸形状部１７を示した図である。図９に示すように本実施の形態では、凹凸形状部１７は、切欠き１５の長手方向開口側において、波状、すなわち、円弧状の凸部及び円弧状の凹部が互い違いに連なって並ぶように形成され、かつ、上面横リブ１０Ａ及び下面横リブ１０Ｂの幅方向（短手方向）において凸部と凹部とが対向するように形成される。換言すれば、円弧状の凸部及び円弧状の凹部が切欠き１５によって形成される上面横リブ１０Ａ及び下面横リブ１０Ｂの切欠き縁部１６に付設されるようにして対向するように形成される。また、本実施の形態では、幅方向において対向する凸部及び凹部が互い違いに４対連続して形成される形状となっている。以下、図９に示すように、開口側から順に凸部１７Ａ１，１７Ｂ１，１７Ｃ１，１７Ｄ１とし、凹部１７Ａ２，１７Ｂ２，１７Ｃ２，１７Ｄ２とする。
【００３９】
更に、本実施の形態では、凹凸形状部１７に含まれる、対向する凸部の高さと凹部の深さ、及び、凸部の半径と凹部の半径がそれぞれ、所定の寸法条件を満たすように形成される。なお、凸部の高さ、凹部の深さの基準は、突き合された際に直線状となる切欠き縁部１６の平坦な面、換言すれば、切欠き１５の両側方の長手方向に沿った平坦な面である。ここで、凸部及び凹部の寸法条件とは、後工程において、凸部及び凹部がしばり嵌め或いは嵌着（すなわち、圧入）して強固に結合するための条件である。以下では、図９にも示すように、凸部１７Ａ１，１７Ｂ１，１７Ｃ１，１７Ｄ１の高さをＨａ、凹部１７Ａ２，１７Ｂ２，１７Ｃ２，１７Ｄ２の深さをＨｂ、凸部１７Ａ１，１７Ｂ１，１７Ｃ１，１７Ｄ１の半径をＲａ、凹部１７Ａ２，１７Ｂ２，１７Ｃ２，１７Ｄ２の半径をＲｂとする。
【００４０】
そして、本実施の形態では、上記の所定の寸法条件の一例として、対向する凸部の高さと凹部の深さの比を「凸部の高さ（Ｈａ）／凹部の深さ（Ｈｂ）＝１」とし、対向する凸部と凹部の半径の比を「凸部の半径（Ｒａ）／凹部の半径（Ｒｂ）＝１．１」とする。
すなわち、凸部１７Ａ１，１７Ｂ１，１７Ｃ１，１７Ｄ１、及び、凹部１７Ａ２，１７Ｂ２，１７Ｃ２，１７Ｄ２の間にそれぞれ、「凸部の高さ（Ｈａ）／凹部の深さ（Ｈｂ）＝１」、かつ、「凸部の半径（Ｒａ）／凹部の半径（Ｒｂ）＝１．１」の関係が成り立つように、凹凸形状部１７が形成される。なお、図９では、凹凸形状部１７に含まれる凸部の高さと凹部の深さが全て同一、凸部の半径が全て同一、凹部の半径が全て同一としたものを例に挙げているが、対向する凸部及び凹部の対で上記の所定の条件を満たすのであれば、隣り合う凸部及び凹部の形状（大きさ）が異なっても構わない。これについての詳細は後述する。
【００４１】
次に、図１０は、粗材６０を両側方からプレスした様子を示した図であり、図１１は、粗材６０を両側方からプレスした際の断面（図１０に示すＤ−Ｄ断面）の断面図である。
【００４２】
上述のようにして切欠き１５及び凹凸形状部１７を形成した後は、幅狭の縮管部１４が形成される。縮管部１４は、ロアアーム１０の両側方、すなわち、ここでは側壁１０Ｃ側及び側壁１０Ｄ側からプレス、すなわち押圧して、側壁１０Ｃ及び側壁１０Ｄを塑性変形させ、切欠き１５によって形成された上面横リブ１０Ａ及び下面横リブ１０Ｂの切欠き縁部１６を突き合わせることで形成される。
【００４３】
ここで、本実施の形態では、切欠き１５によって形成された空隙を埋めるように、切欠き縁部１６を突き合わせる際、その一部には対向する複数の凸部及び凹部を含む凹凸形状部１７が形成されているため、これらがしばり嵌め或いは嵌着するようにプレス（押圧）する。これにより、対向する凸部及び凹部が強固に結合するため、切欠き縁部１６における上下動が抑制されることになる。なお、図１１に示すように、切欠き１５の形成された部位を両側方からプレスされた後は、粗材６０の車体構造部材５側は閉断面となる。
【００４４】
また、図１０には、切欠き縁部１６における突合せ部分の長手方向の長さＬと、凹凸形状部１７の長手方向の長さＴを示した。なお、切欠き縁部１６における突合せ部分とは、凹凸形状部１７の凸部及び凹部がしばり嵌め或いは嵌着する部分と直線線上に突き合わされる部分を含む領域を言うものとする。切欠き縁部１６の突合せ部分と凹凸形状部１７との関係においては、切欠き縁部１６の突合せ部分に対して凹凸形状部１７が少ない、或いは長手方向において短い場合には、結合が不十分となる。一方、切欠き縁部１６の突合せ部分において直線線上に突き合わされる部分が全くない場合には、突き合わせの精度が不満足となり得る関係がある。したがって、本願発明者は鋭利研究の結果、強固な結合が得られ、かつ、精度良く突合せが可能な範囲として、「０．５＜Ｔ／Ｌ＜０．９５」が最適であることを実験を通して見出した。そのため本実施の形態に係るロアアーム１０では、Ｔ／Ｌの関係が上記範囲内となるよう、切欠き１５及び凹凸形状部１７を形成するとともに、プレスをしている。
【００４５】
また、図１１には、ロアアーム１０の上面横リブ１０Ａの肉厚ｔ（なお、下面横リブ１０Ｂも同様に肉厚ｔである）を示した。上述では、凹凸形状部１７における凸部及び凹部の半径の寸法条件（比率）を説明したが、本実施の形態では、これらの実際の寸法は、肉厚ｔとの関係で最適なものを選択して決めるようにしている。例えば、肉厚ｔに対して凸部及び凹部の半径が小さすぎる又は大きすぎる場合には、強固な結合が得られない場合や、嵌め合いの精度が低下してしまうからである。このような点に鑑みて、本願発明者は鋭利研究の結果、強固な結合が得られ、かつ、精度良く突合せが可能な範囲として、「ｔ／２＜凸部の半径（Ｒａ）＜２ｔ」が最適であることを実験を通して見出した。そのため本実施の形態に係るロアアーム１０では、凸部の半径が上記範囲内となるよう、切欠き１５及び凹凸形状部１７を形成するとともに、プレスをしている。
【００４６】
次に、図１２は、縮管部１４の先端側の側壁１０Ｃ，１０Ｄに、ブッシュ１１を取り付けるための挿通穴１８を形成した状態を示した図である。プレスより縮管部１４を形成した後は、挿通穴１８が形成される。挿通穴１８は切削加工等で形成され、側壁１０Ｃと１０Ｄとで同一径とされる。
【００４７】
挿通穴１８には、ブッシュ１１が挿入される。ブッシュ１１は、ブッシュよりも周径の大きい外筒１９内にゴム材２０を介して保持される。ブッシュ１１を挿通穴１８に挿入する際は、ブッシュ１１、外筒１９及びゴム材２０が組み付けられて一体となったユニットの状態で挿入する。外筒１９の外径は、挿通穴１８の内径と略同一であり、挿入された際はゆるめの略嵌合状態となる。そして外筒１９は挿入された後、その両端側を外側に少なくとも部分的に拡管され、挿通穴１８と密に接する。すなわち、外筒１９は拡管かしめが施される。図１３は、外筒１９を挿通穴１８に挿入した後、拡管かしめを施した際の断面（図１２に示すＥ−Ｅ断面）を示した断面図である。図１３に示す矢印は、角管かしめの方向を示している。なお、外筒１９についての拡管かしめは、円筒両端部の全周に施す必要はなく少なくとも部分的に施されれば良い。
【００４８】
このように外筒１９が拡管かしめを施されると、切欠き縁部１６における突合せ部分を、側壁１０Ｃ側及び側壁１０Ｄ側から押し込む力が生じるため、凹凸形状部１７には常時押し付けあう力が生じ、切欠き縁部１６が強固に結合することになる。これにより、結果として、切欠き縁部１６における上下動が抑制されることになり、ねじりに対する剛性の一層の向上、及び、摩耗の一層の低減がなされている。
【００４９】
以上のようにして、図２に示した、本実施の形態に係るロアアーム１０は製造される。なお、切欠き縁部１６における上下動を抑制することを目的とし場合には、図１４に示すように外筒１９のみを挿通穴１８に挿入し拡管かしめを施しても良い。また、この場合に、外筒１９を車体構造部材５との連結のためのブッシュとして用いても良く、このようにすれば、縮管部１４の強固な結合と、ロアアーム１０と車体構造部材５との結合を両方同時に得ることができ、部品点数の増加も抑えることができる。また、図１５に示すように挿通穴１８を小さく形成し（１８’）、ボルト、ナット結合して、側壁１０Ｃ、側壁１０Ｄを挟持しても良く、この場合も縮管部１４の強固な結合を達成することができる。
【００５０】
（ロアアームの凹凸形状部の寸法条件について）
以上のようにして、本実施の形態に係るロアアーム１０は形成される。次に、以下では、凹凸形状部１７の最適な寸法条件についての実験結果を説明する。
【００５１】
上述した実施の形態では、凹凸形状部１７における寸法条件の一例として、対向する凸部と凹部の高さの比を「凸部の高さ／凹部の深さ＝１」とし、対向する凸部と凹部の半径の比を「凸部の半径／凹部の半径＝１．１」としたことを説明した。以下では、この条件と異なる諸条件で上述したロアアーム１０を製造し、それについての突合せ試験及びねじり耐久試験を行った結果を示す。
【００５２】
図１６は、実験に用いる各種パラメータを説明するための図である。図１６において、Ｌ１及びＬ２は凸部の高さ、凹部の深さの基準位置を示す。すなわち、基準位置Ｌ１，Ｌ２は突き合された際に、直線状となる切欠き縁部１６の平坦な面、或いは、切欠き１５の両側方の長手方向に沿った平坦な面である。そして、Ｈａは凸部の高さ、ｈｂは凹部の深さ、Ｒａは凸部の半径、Ｒｂは凹部の半径を示す。なお、この実験では、実験ごとに全ての凸部の半径Ｒａを同一とし、全ての凹部の半径Ｒｂも同一となるように形成した。
【００５３】
また、ここでの実験では、ロアアーム１０は６０００系アルミ押し出し材から形成しており、肉厚は４ｍｍとしている。また、ここでの実験では、突合せ試験としては、対向する凸部及び凹部がしまり嵌め或いは嵌着できるかどうかを検証し、ねじり耐久試験としては、ロアアーム１０にねじり角１０度となるねじり方向の力を１０万回与えた際に摩耗が生じるかどうかを検証した。
【００５４】
図１７は、実験結果を示した図である。図１７に示すように、本実験では、凸部の高さＨａ、凹部の深さＨｂ、凸部の半径Ｒａ、凹部の半径Ｒｂの条件を１２種とした（試験Ｎｏ１〜１２）。そして、図１７において、突合せ試験でしまり嵌め或いは嵌着できた場合は「ＯＫ」、できなかった場合は「ＮＧ」と示している。また、ねじり耐久試験で摩耗が生じなかった場合は「ＯＫ」を示し、摩耗が生じた場合は「摩耗発生」と示している。
【００５５】
図１７を参照すると、試験Ｎｏ５，６，１２において凸部及び凹部がしまり嵌め或いは嵌着（以下、しまり嵌め等）できなかった。この結果からは、試験Ｎｏ５，６から凹部の半径が凸部の半径に比べて小さすぎるとしまり嵌め等ができないことがわかった。一方、試験Ｎｏ４及び試験Ｎｏ７〜１２の結果と、寸法公差等の加工精度も併せて考えると、対となる凸部及び凹部の半径の比率として「Ｒａ／Ｒｂ＜１．２」が最適と判断できた。また、凹部の半径が凸部の半径よりも大きい場合は当然にしまり嵌め等はできないが、試験Ｎｏ１の結果からは、これらの半径が同一であっても、しまり嵌め等できることがわかり、ここから、「１≦Ｒａ／Ｒｂ」でも良いことがわかった。
【００５６】
また、試験Ｎｏ１２から、凸部の高さが凹部の深さよりも高さ過ぎると、しまり嵌め等ができないことがわかり、試験Ｎｏ１１の結果と、寸法公差等の加工精度も併せて考えると、対となる凸部及び凹部の高さの比は、「Ｈａ／Ｈｂ＜１．１」とすることが最適と判断できた。
【００５７】
また、摩耗発生の試験では、試験Ｎｏ９において摩耗が発生したことを確認できた。この結果では、対となる凸部及び凹部の高さの比が「Ｈａ／Ｈｂ＝０．７５」であり、凸部が凹部にしまり嵌め等できたとしても隙間が大きいときには摩耗が発生してしまうことが確認できた。一方で、試験Ｎｏ８では、「Ｈａ／Ｈｂ＝０．８」であり隙間がある程度あるが摩耗は発生しなかった。しかし、「Ｈａ／Ｈｂ＝０．８」では目視でも隙間があることが明確であるところ、下限として、対となる凸部及び凹部の高さの比として、「０．８＜Ｈａ／Ｈｂ」とすることが最適と判断できた。
【００５８】
以上の実験結果から、幅方向において対向する凸部及び凹部の寸法条件として、「１≦Ｒａ／Ｒｂ＜１．２」、かつ、「０．８＜Ｈａ／Ｈｂ＜１．１」、となる関係が最適と判断できた。また、当該範囲内にあるロアアームについては、全てに関して摩耗の発生が確認できなかったため、切欠き縁部１６の突合せ部分に凹凸形状部１７の凸部及び凹部を形成し、しまり嵌めあるいは嵌着することでの、剛性向上及び摩耗抑制の効果（耐久性）を十分に確認することができた。
【００５９】
以上、本発明の第１の実施の形態を説明した。すなわち、自動車用のサスペンションアームとして使用される本実施の形態に係るロアアーム１０では、縮管部１４を、角管状部材の上面及び下面に端部から長手方向に沿ってスリット状の切欠き１５を形成し、両側方からプレスして塑性変形させて、切欠き１５によって形成された空隙を埋めるようにして切欠き縁部１６の幅方向の両側面を突き合わせることで形成されている。換言すれば、縮管部１４は、切欠き１５によって分断された上面及び下面を、両側方からプレスして閉断面を形成するよう縮管されて形成されている。
【００６０】
このようにして縮管部１４を形成すると、変形点を上面及び下面の中央部に制御でき、上面及び下面が平坦で、両側壁も変形なく略平行した閉断面を形成でき、幅狭の所望の形状を得ることができるとともに、ブッシュ１１取付等に必要な一定の寸法精度も得ることができる。ここで、ロアアーム１０の略中央、特にコイルスプリング支持部１３付近では、当初の板厚で領域及び断面積が確保されているため、コイルスプリング７から受ける力に対する剛性も保持される。なお、アルミニウム合金の角管状押し出材から形成されているため、製造が容易であり、また軽量で市場要求を満たすことは言うまでもない。
【００６１】
そして、本実施の形態に係るロアアーム１０では、切欠き１５によって形成されたロアアーム１０の切欠き１５において、幅方向（短手方向）において複数の凹部と凸部が対向する凹凸形状部１７を形成し、両側方からプレスして突き合わさせた際、これらが互いにしばり嵌め或いは嵌着した状態となるようにしている。
【００６２】
サスペンションアームにおいては、車両走行時にねじり方向の力を受けるが、ここで切欠き１５によって形成された切欠き縁部１６を突き合わせたのみでは、切欠き縁部１６が上下に摺動してしまい、ねじりに対する強度を十分に確保できず、更には摩耗が発生してしまうことがある。
【００６３】
これに対して、本実施の形態に係るロアアーム１０では、切欠き１５において形成した凹凸形状部１７がしばり嵌め或いは嵌着するため、溶接レスでありながら強固に結合する。そのため、本実施の形態に係るロアアーム１０は、溶接レスで所望の寸法条件を満たしつつ軽量でありながら、ねじりに対する剛性が強く強度を確保でき、切欠き縁部１６の上下動を抑制して摩耗の発生も生じさせないようにすることができる。
【００６４】
更に本実施の形態に係るロアアーム１０では、縮管部１４の両側壁において挿通穴１８を形成し、これに外筒１９を拡管かしめを施して固定するようにしている。これにより、切欠き１５によって形成された切欠き縁部１６の両側面が一層強固に結合することになり、ねじりに対する剛性を一層向上させるとともに、摩耗の発生を確実に生じさせないようにすることができる。
【００６５】
また、本実施の形態に係るロアアーム１０について、鋭利研究のもと、凹凸形状部１７における最適な寸法条件を見出すことができた。すなわち、幅方向において対向する対の凸部及び凹部の寸法条件として、凸部の半径（Ｒａ）、凹部の半径（Ｒｂ）、凸部の高さ（Ｈａ）、凹部の深さ（Ｈｂ）とした場合に、「１≦Ｒａ／Ｒｂ＜１．２」、かつ、「０．８＜Ｈａ／Ｈｂ＜１．１」という範囲で凸部及び凹部を形成することで、凸部及び凹部をより強固に結合でき、かつ摩耗も発生しないようにすることができることがわかった。
【００６６】
また、本実施の形態に係るロアアーム１０では、凹凸形状部１７における凸部及び凹部が車幅方向において４対対向する形状を説明したが、このような凸部及び凹部の対は、この数に限定されるものではない。凸部が凹部に圧入されて上下動が抑制されるものであるから、例え凸部及び凹部の対が１つであって、強度の向上及び摩耗の低減の効果は得ることができる。しかし、３対以上を形成した場合には、凸部及び凹部は、隣接する凸部及び凹部に対してロアアーム１０の長手方向における締め付け力を作用させる。したがって、３対以上の凸部及び凹部の対を形成した場合には、より強度の向上及び摩耗の低減の効果を得ることができる。
【００６７】
また、本実施の形態に係るロアアーム１０では、車体構造部材５との連結側のみに縮管部１４を形成したが、設計条件によってはナックル４側も同様に縮管させても良い。また、本実施の形態に係るロアアーム１０では、上面横リブ１０Ａ及び下面横リブ１０Ｂに切欠き１５を形成して縮管したが、対向する側壁１０Ｃ及び側壁１０Ｄに対して切欠きを形成して縮管するようにしても構わない。
【００６８】
また、本実施の形態では、凹凸形状部１７は、切欠き１５の長手方向開口側において、波状、すなわち、円弧状の凸部及び円弧状の凹部が互い違いに連なって並ぶように形成され、かつ、幅方向において凸部と凹部とが対向するように形成されるとした。しかし、凹凸形状部１７は、凸部を凹部に圧入して上下動を抑制するものであるから、波状以外の形状としても構わない。すなわち、プレスした際に、強固に結合して閉断面を形成できるのであれば、台形状等であっても構わない。
【００６９】
また、本実施の形態では、本発明に係る構造部材を、マルチリンク方式のサスペンション装置におけるロアアーム１０として説明したが、サスペンション装置の方式が異なっても構わない。すなわち、例えばダブルウィッシュボーン方式等であっても、本発明に係る構造部材をロアアームとして好適に用いることができる。ダブルウィッシュボーン方式において、ロアアームがコイルスプリングを支持する態様は一般的なものである。
【００７０】
また、本実施の形態では、ロアアーム１０をアルミニウム合金を用いて製造したが、マグネシウム合金を用いても、軽量で、所望の寸法条件を満たしつつ軽量で、溶接レスで所望の寸法条件を満たしつつ軽量で、剛性の高いロアアームを得ることができる。また、本実施の形態では、サスペンション装置１で用いるロアアーム１０を本発明に係る構造部材として説明したが、本発明はこれに限定されることなく、広い分野において用いることができる。例えば、棒状の部材として、軽量化を要求され、かつ、一部に幅狭の部分が要求されるのであれば、各種車両、ロボット、建造物及び建造物中に設けられる機械構造物等において用いることができ、応用分野は広範である。
【００７１】
＜第２の実施の形態＞
次に、本発明の第２の実施の形態について説明する。図１８は、本実施の形態に係るロアアームの凹凸形状部において、隣り合う凸部或いは凹部の形状を異ならせたものを示した図である。
【００７２】
図１の図１６，１７等を用いて説明した実験では、幅方向において対向する凸部及び凹部が所定の寸法条件を満たせば、これらが強固に結合し、かつ摩耗が生じないことが分かった。この結果から、対向する一対の凸部及び凹部は、この対ごとに、所定の寸法条件を満たせば、強固に結合し、かつ摩耗が生じないことになる。そこで、本実施の形態では、寸法条件を、「１≦Ｒａ／Ｒｂ＜１．２」、かつ、「０．８＜Ｈａ／Ｈｂ＜１．１」を満たす範囲で、対向する対の凸部及び凹部の形状を対ごとに異ならせるようにした。なお、パラメータに関しては第１の実施の形態と同様である。
【符号の説明】
【００７３】
１  サスペンション装置、２  タイヤ、３  ホイール、４  ナックル、５  車体構造部材、６  アッパーアーム、７  コイルスプリング、１０  ロアアーム、１０Ａ  上面横リブ、１０Ｂ  下面横リブ、１０Ｃ，１０Ｄ  側壁、１１  ブッシュ、１２  挿通穴、１３  コイルスプリング支持部、１４  縮管部、１５  切欠き、１６  切欠き縁部、１７  凹凸形状部、１８  挿通穴、１９  外筒、２０  ゴム材。
【図１】
2010195317.tif 000003
【図２】
2010195317.tif 000004
【図３】
2010195317.tif 000005
【図４】
2010195317.tif 000006
【図５】
2010195317.tif 000007
【図６】
2010195317.tif 000008
【図７】
2010195317.tif 000009
【図８】
2010195317.tif 000010
【図９】
2010195317.tif 000011
【図１０】
2010195317.tif 000012
【図１１】
2010195317.tif 000013
【図１２】
2010195317.tif 000014
【図１３】
2010195317.tif 000015
【図１４】
2010195317.tif 000016
【図１５】
2010195317.tif 000017
【図１６】
2010195317.tif 000018
【図１７】
2010195317.tif 000019
【図１８】
2010195317.tif 000020